(57)【要約】【課題】ＰＳＤ素子の検出結果に基づいて簡単且つ正確に引き違い窓が全閉状態であるか、外側窓あるいは内側窓が開いた状態であるかを検出する。【解決手段】外側窓１と内側窓２とを引き違い自在とした引き違い窓の開窓検知装置である。全閉状態において外側窓１と内側窓２との重なり部３の近傍の窓枠４の室内側に近赤外線の投光部５及び受光部６にＰＳＤ素子６ａを有する検知部７を設ける。全閉状態の外側窓１と内側窓２との重なり部３付近の外側窓１の室内面に上記投光部５から発光された近赤外線が反射する反射面となる突部８を設ける。全閉状態に投光部５から投光された近赤外線の反射光を受光部６で受光することにより求めた反射位置の検出結果から窓の開窓状態を検知部７で検知する。【選択図】　　　　図１
2004012385.tif 000002
【特許請求の範囲】
【請求項１】
外側窓と内側窓とを引き違い自在とした引き違い窓の開窓検知装置であって、全閉状態において外側窓と内側窓との重なり部の近傍の窓枠の室内側に近赤外線の投光部及び受光部にＰＳＤ素子を有する検知部を設け、全閉状態の外側窓と内側窓との重なり部付近の外側窓の室内面に上記投光部から発光された近赤外線が反射する反射面となる突部を設け、全閉状態に投光部から投光された近赤外線の反射光を受光部で受光することにより求めた反射位置の検出結果から窓の開窓状態を検知部で検知することを特徴とする引き違い窓の開窓検知装置。
【請求項２】
外側窓と内側窓とを引き違い自在とした引き違い窓の開窓検知装置であって、全閉状態において外側窓と内側窓との重なり部の近傍の窓枠の室内側に近赤外線の投光部及び受光部にＰＳＤ素子を有する検知部を設け、全閉状態の外側窓と内側窓との重なり部付近の外側窓の室内面の上記投光部から発光された近赤外線が反射する外側窓の室内面の位置に内側窓、外側窓の同じ高さの他の部位の反射率よりも低い反射率の反射率低減部を設け、全閉状態に投光部から投光された近赤外線の反射光を受光部で受光することにより求めた反射位置の検出結果から窓の開窓状態を検知部で検知することを特徴とする引き違い窓の開窓検知装置。
【請求項３】
外側窓と内側窓とを引き違い自在とした引き違い窓の開窓検知装置であって、全閉状態において外側窓と内側窓との重なり部の近傍の窓枠の室内側に近赤外線の投光部及び受光部にＰＳＤ素子を有する検知部を設け、全閉状態の外側窓と内側窓との重なり部付近の外側窓の室内面に上記投光部から発光された近赤外線が反射する反射面となる突部を設け、該突部の突出面を上記突部と同じ高さの外側窓及び内側窓の他の部位の反射率よりも低い反射率の反射率低減部とし、全閉状態における外側窓の反射部位置に向けて投光部から近赤外線を投光して受光部で反射光を受光することで求めた反射位置の検出結果から窓の開窓状態を検知部で検知することを特徴とする引き違い窓の開窓検知装置。
【請求項４】
反射率低減部が赤外線吸収シートを貼着することで構成してあることを特徴とする請求項２又は請求項３記載の引き違い窓の開窓検知装置。
【発明の詳細な説明】
【０００１】
【発明の属する技術分野】
本発明は、引き違い窓の開窓検知装置に関するものである。
【０００２】
【従来の技術】
従来から引き違い窓の開窓検知装置として図１３、図１４に示すようなものが知られている。この図１３、図１４に示すものは、窓枠４の室内側の全閉状態における外側窓１と内側窓２との重なり部と対向する位置に、ロータリーマグネット２０を有するリードスイッチ２１を設け、全閉状態における外側窓１と内側窓２との重なり部３又は重なり部３の近傍において外側窓１と内側窓２とにそれぞれマグネット２２を設けている。図１４（ｂ）はロータリーマグネット２０にマグネット２２の吸引力が作用していない状態で、ロータリーマグネット２０はリードスイッチ２１側に位置してリードスイッチ２１がオフの状態となっている。そして、全閉状態においては、外側窓１と内側窓２とに設けた両マグネット２２によりロータリーマグネット２０を図１４（ｂ）の状態から図１４（ａ）のように回動し、これによりリードスイッチ２１をオンにして全閉状態であると判断し、また、マグネット２２が離れることでマグネット２２による磁力の影響が無くなってロータリーマグネット２０が回動して図１４（ａ）の状態から図１４（ｂ）の状態となりリードスイッチ２１がオフとなり、開状態であると判断するようになっていた。
【０００３】
ところが、上記の従来例にあっては、ロータリーマグネット２０とマグネット２２との配置においては、磁力の有効範囲内が検出可能距離であり、配置上の制約条件となるという問題があり、この検出距離を伸ばすには基本的にマグネット２２の形状を大きくする必要があるが、外側窓１、内側窓２の収まり寸法上マグネット２２の形状を大きくすることは実施困難であり、したがって、厚物のサッシの場合、検出距離が長くなるので、対応が困難となるという問題があり、また、取付け時においては、ロータリーマグネット２０を備えたリードスイッチ２１とマグネット２２が有効検出距離内であることを確認しながら取付ける必要があって、専門性を要する作業となるという問題がある。
【０００４】
【発明が解決しようとする課題】
本発明は上記の点に鑑みてなされたものであり、ＰＳＤ素子の検出結果に基づいて簡単且つ正確に引き違い窓が全閉状態であるか、外側窓あるいは内側窓が開いた状態であるかを検出することができる引き違い窓の開窓検知装置を提供することを課題とするものである。
【０００５】
【課題を解決するための手段】
上記課題を解決するために本発明に係る引き違い窓の開窓検知装置は、外側窓１と内側窓２とを引き違い自在とした引き違い窓の開窓検知装置であって、全閉状態において外側窓１と内側窓２との重なり部３の近傍の窓枠４の室内側に近赤外線の投光部５及び受光部６にＰＳＤ素子６ａを有する検知部７を設け、全閉状態の外側窓１と内側窓２との重なり部３付近の外側窓１の室内面に上記投光部５から発光された近赤外線が反射する反射面となる突部８を設け、全閉状態に投光部５から投光された近赤外線の反射光を受光部６で受光することにより求めた反射位置の検出結果から窓の開窓状態を検知部７で検知することを特徴とするものである。このような構成とすることで、窓が全閉状態においては投光部５から発光された近赤外線は外側窓１の室内面から突出した突部８で反射してＰＳＤ素子６ａを備えた受光部６で受光され、この状態を全閉状態であると判定し、この全閉状態において、外側窓１が開いたり、内側窓２が開いたりすると、投光部５から発光された近赤外線は外側窓１の突出した突部８以外の面で反射して受光部６で受光されたり、あるいは、内側窓２で反射して受光部６で受光されるため、受光部６による検出結果が全閉状態と異なり、これにより外側窓１が開いたと判定するものである。
【０００６】
また、外側窓１と内側窓２とを引き違い自在とした引き違い窓の開窓検知装置であって、全閉状態において外側窓１と内側窓２との重なり部３の近傍の窓枠４の室内側に近赤外線の投光部５及び受光部６にＰＳＤ素子６ａを有する検知部７を設け、全閉状態の外側窓１と内側窓２との重なり部３付近の外側窓１の室内面の上記投光部５から発光された近赤外線が反射する外側窓１の室内面の位置に内側窓２、外側窓１の同じ高さの他の部位の反射率よりも低い反射率の反射率低減部９を設け、全閉状態に投光部５から投光された近赤外線の反射光を受光部６で受光することにより求めた反射位置の検出結果から窓の開窓状態を検知部７で検知することを特徴とするものであってもよい。このような構成とすることで、窓が全閉状態においては投光部５から発光された近赤外線は外側窓１の室内面の反射率低減部９で反射して受光部６で受光され、この状態を全閉状態であると判定し、この全閉状態において、外側窓１が開くと、近赤外線の反射部分は反射率の低い反射率低減部９から外側窓１の同じ高さの反射率の高い部位へと変わるが、この反射率の異なる境界部分においては、反射光束密度が著しく異なるため、受光レンズ６ｂでの集光後のＰＳＤ素子６ａへの照射点がずれるため、測距誤差が生じ、この測距誤差を検知することで外側窓１が開いたと判定し、また、内側窓２が開いた場合には投光部５から発光された近赤外線は内側窓２の室内面で反射して受光部６で受光されるため、受光部６による検出結果が全閉状態と異なり、これにより内側窓２が開いたと判定するものである。
【０００７】
また、外側窓１と内側窓２とを引き違い自在とした引き違い窓の開窓検知装置であって、全閉状態において外側窓１と内側窓２との重なり部３の近傍の窓枠４の室内側に近赤外線の投光部５及び受光部６にＰＳＤ素子６ａを有する検知部７を設け、全閉状態の外側窓１と内側窓２との重なり部３付近の外側窓１の室内面に上記投光部５から発光された近赤外線が反射する反射面となる突部８を設け、該突部８の突出面を上記突部６と同じ高さの外側窓１及び内側窓２の他の部位の反射率よりも低い反射率の反射率低減部９とし、全閉状態における外側窓１の突部８位置に向けて投光部５から近赤外線を投光して受光部６で反射光を受光することで求めた反射位置の検出結果から窓の開窓状態を検知部７で検知することを特徴とするものであってもよい。このような構成とすることで、窓が全閉状態においては投光部５から発光された近赤外線は外側窓１の室内面から突出した突部８で反射してＰＳＤ素子６ａを備えた受光部６で受光され、この状態を全閉状態であると判定し、この全閉状態において、外側窓１が開いたり、内側窓２が開いたりすると、投光部５から発光された近赤外線は外側窓１の突出した突部８以外の面で反射して受光部６で受光されたり、あるいは、内側窓２で反射して受光部６で受光されるため、受光部６による検出結果が全閉状態と異なり、これにより外側窓１が開いたと判定するものであるが、この場合、突部８の突出面を外側窓１及び内側窓２の突部８と同じ高さの他の部位の反射率よりも低い反射率の反射率低減部９としてあるので、全閉状態において、外側窓１が開いた際に反射率の異なる境界部分において生じる測距誤差を検知することで、突部８の突出長さが短くても確実に突出外側窓１が開いたと判定することができるものである。
【０００８】
また、反射率低減部９が赤外線吸収シートを貼着することで構成してあることも好ましい。このような構成とすることで、赤外線吸収シートを貼るだけで簡単に反射率低減部９とすることができるものである。
【０００９】
【発明の実施の形態】
以下、本発明を添付図面に示す実施形態に基づいて説明する。
【００１０】
図１乃至図５には本発明の一実施形態が示してある。外側窓１と内側窓２とを引き違い自在とした引き違い窓において、引き違い窓の窓枠４の上枠の室内側の部分には近赤外線の投光部５及び受光部６にＰＳＤ素子を有する検知部７が設けてある。そして、この窓枠４の上枠の室内側に設けた検知部７は全閉状態における外側窓１と内側窓２との重なり部３付近と対向している。
【００１１】
検知部７には近赤外線ＬＥＤのような近赤外線を発光する投光素子５ａと、投光レンズ５ｂを備えた近赤外線の投光部５を設けると共に、受光素子であるＰＳＤ素子６ａと受光レンズ６ｂを備えた受光部６とを設けてある。
【００１２】
引き違い窓を全閉にした全閉状態において外側窓１と内側窓２とが重なる重なり部３付近の外側窓１の室内面の上部に全閉状態で上記投光部５から発光された近赤外線が反射する反射面となる突部８が設けてある。
【００１３】
したがって、図４（ａ）の引き違い窓を全閉にした状態では、投光部５から投光された近赤外線は全閉状態における外側窓１の上記突部８の突出面で図２のイのように反射して反射光が受光レンズ６ｂで集光されてＰＳＤ素子６ａに受光される。
【００１４】
一方、図４（ａ）の引き違い窓を全閉にした状態で、仮に図４（ｂ）の矢印のように外側窓１が移動して開となった場合には、投光部５から投光された近赤外線は外側窓１の上記突部８以外の室内面で図２のロのように反射して反射光が受光レンズ６ｂで集光されてＰＳＤ素子６ａに受光される。
【００１５】
また、図４（ａ）の引き違い窓を全閉にした状態で、仮に図４（ｃ）の矢印のように内側窓１が移動して開となった場合には、投光部５から投光された近赤外線は内側窓１の室内面で図２のハのように反射して反射光が受光レンズ６ｂで集光されてＰＳＤ素子６ａに受光される。
【００１６】
そして、図２の原理図に示すように、上記イ、ロ、ハの反射光のＰＳＤ素子６ａにおける受光点が異なることになる。
【００１７】
ところで、ＰＳＤ素子６ａは受光点により出力電圧（ＰＳＤ素子６ａの両端部の端子の出力電流の差に相当する電圧を出力電圧とする）が異なるものであり、上記出力電圧と被検知体の反射面までの距離（受光部６から反射面までの距離）の関係は図３に示すようになっており、出力電圧を知ることで上記被検知体の反射面までの距離を算出できるようになっている。したがって、図２のように反射面が基準位置にある場合における受光部６までの検知距離をＬとした場合、被検知体が受光部６から遠くなると検知距離はＬ＋ΔＬとなり、被検知体が受光部６から近くなると検知距離はＬ−ΔＬとなる。つまり、突部８の突出面で反射した場合の検知距離をＬとすると、突部８以外の外側窓１の室内面で反射した場合の検知距離はＬ＋ΔＬ、内側窓２の室内面で反射した場合の検知距離はＬ−ΔＬとなる。
【００１８】
このＰＳＤ素子６ａの原理に基づいて上記ＰＳＤ素子６ａの出力電圧を監視することで、反射面が突部８の突出面で反射した（つまり引き違い窓が全閉状態である）のか、あるいは突部８以外の外側窓１の室内面で反射した（つまり、外側窓１が開いた）のか、あるいは内側窓２の室内面で反射した（つまり、内側窓２が開いた）のかを判定することができるものである。つまり、図５のＡが反射面が突部８の突出面で反射して全閉状態におけるＰＳＤ素子６ａの出力電圧、Ｂが外側窓１が開いて突部８以外の外側窓１の室内面で反射した状態におけるＰＳＤ素子６ａの出力電圧、Ｃが内側窓２が開いて内側窓２の室内面で反射した状態におけるＰＳＤ素子６ａの出力電圧であり、また、Ｄは上記突部８の突出面で反射して全閉状態におけるＰＳＤ素子６ａの出力電圧Ａから、外側窓１が開いて突部８以外の外側窓１の室内面で反射した状態におけるＰＳＤ素子６ａの出力電圧Ｂへの出力電圧の変化量である。
【００１９】
したがって、検出部７に上記上記ＰＳＤ素子６ａの出力電圧の検出手段と、出力電圧の検出結果に基づいて引き違い窓の開閉を判定する判定手段を設けることで、引き違い窓の開閉状態を判定することができるものである。
【００２０】
そして、引き違い窓が全閉状態から開状態となると、ブザーやランプ等の警報手段をオンにして警報するように制御したり、警備会社に全閉状態の引き違い窓が開けられたことを通信手段で通信するものである。
【００２１】
次に、本発明の他の実施形態につき図６乃至図９に基づいて説明する。本実施形態において、検知部７の取付け位置は前述の実施形態と同様であるが、本実施形態においては、全閉状態の外側窓１と内側窓２との重なり部３付近の外側窓１の室内面の上記投光部５から発光された近赤外線が反射する外側窓１の室内面の位置に内側窓２、外側窓１の同じ高さの他の部位の反射率よりも低い反射率の反射率低減部９を設けてある。
【００２２】
本実施形態においては、反射率低減部９の位置は外側窓１の室内面の反射率低減部９と同じ高さで反射率が高い部分（反射率低減部９以外の部分）と略面一であっても、前述のように突部８を設けてこの突部８の突出面が反射率低減部９となっていてもよい。
【００２３】
そして、図７（ａ）の引き違い窓を全閉にした状態では、投光部５から投光された近赤外線は全閉状態における外側窓１の上記反射率低減部９で反射して反射光が受光レンズ６ｂで集光されてＰＳＤ素子６ａに受光される。
【００２４】
一方、図７（ａ）の引き違い窓を全閉にした状態で、仮に図７（ｂ）の矢印のように外側窓１が移動して開となった場合には、投光部５から投光された近赤外線は外側窓１の室内面の反射率低減部９以外の反射率の高い面で反射して反射光が受光レンズ６ｂで集光されてＰＳＤ素子６ａに受光される。
【００２５】
また、図７（ａ）の引き違い窓を全閉にした状態で、仮に図７（ｃ）の矢印のように内側窓１が移動して開となった場合には、投光部５から投光された近赤外線は内側窓１の室内面で反射して反射光が受光レンズ６ｂで集光されてＰＳＤ素子６ａに受光される。
【００２６】
ここで、反射率低減部９の位置は外側窓１の室内面の反射率低減部９と同じ高さで反射率が高い部分（反射率低減部９以外の部分）と略面一の場合には、全閉状態において反射率低減部９に反射した場合の受光部６から被検知体までの検知距離と、外側窓１が開いた場合における反射率の高い部分に反射した場合の受光部６から被検知体までの検知距離とは同じであるので、図８のように上記ＰＳＤ素子６ａの出力電圧は同じである（出力電圧はＢとなる）。しかしながら、全閉状態において、外側窓１が開くと、図９のように近赤外線の反射部分は反射率の低い反射率低減部９から外側窓１の同じ高さの反射率の高い部位へと変わるが、この反射率の異なる境界部分においては、反射光束密度が著しく異なるため、受光レンズ１０での集光後のＰＳＤ素子６ａへの照射点がずれる。図９においてａはＰＳＤ素子６ａにおける本来の照射点、ｂは上記ずれた照射点をしめす。この照射点のずれのため、測距誤差が生じ、この測距誤差が図８のＥで示す出力電圧の誤差となり、この誤差を検知することで外側窓１が開いたと判定手段により判定できるものである。
【００２７】
また、内側窓２が開いた場合には投光部５から発光された近赤外線は内側窓２の室内面で反射して受光部６で受光されるため、前述のようにＰＳＤ素子６ａの出力電圧が図８のＣとなって全閉状態と異なり、これにより内側窓２が開いたと判定するものである。
【００２８】
次に、突部８の突出面が反射率低減部９となっている場合を図１０乃至図１２に示す。本実施形態では図１１（ａ）の状態では投光部５から発光された近赤外線は外側窓１の突部８で反射して受光部６で受光されるため、ＰＳＤ素子６ａの出力電圧が図１２のＡとなり、これにより全閉状態であると判定するものである。
【００２９】
一方、図１１（ｂ）の矢印のように外側窓２を開いた場合には投光部５から発光された近赤外線は外側窓１の室内面の突部８以外の面で反射して受光部６で受光されるため、図１２のＢとなるが、この際、突部８の表面は反射率の低い反射率低減部９であり、外側窓１の室内面の突部８以外の面は反射率が高いので、反射率が異なる境界部分においては、前述のように反射光束密度が著しく異なるため、受光レンズ１０での集光後のＰＳＤ素子６ａへの照射点がずれて、測距誤差が生じ、この測距誤差が出力電圧の誤差となって、図５の実施形態におけるＤで示す出力電圧の変化量を本実施形態では図１２のように瞬間的にＥだけ増大することができ、この増大した出力電圧の変化量を検知することで、外側窓１が開いたと判定手段により判定できるものである。しかして、外側窓１の室内面に突部８を設ける場合、引き違い窓という制約により突部８の突出長をあまり長くできないということを考慮すると、本実施形態のように突部８の表面に反射率低減部９を設けることで、突部８の突出長が短くても上記出力電圧の変化量を大きくできて確実に外側窓１が開いたと判定できるものである。
【００３０】
また、本実施形態において、図１１（ｃ）のように内側窓２が開いた場合には前述と同様に、投光部５から発光された近赤外線は内側窓２の室内面で反射して受光部６で受光されるため、前述のようにＰＳＤ素子６ａの出力電圧が図１２のＣとなって全閉状態と異なり、これにより内側窓２が開いたと判定するものである。
【００３１】
上記のような反射率低減部９を設けるに当たっては、例えば赤外線吸収シートを貼着することにより形成するものであり、このように赤外線吸収シートを貼着するものにおいては簡単に反射率低減部９を形成することができるものである。
【００３２】
【発明の効果】
上記のように本発明の請求項１記載の発明にあっては、全閉状態において外側窓と内側窓との重なり部の近傍の窓枠の室内側に近赤外線の投光部及び受光部にＰＳＤ素子を有する検知部を設け、全閉状態の外側窓と内側窓との重なり部付近の外側窓の室内面に上記投光部から発光された近赤外線が反射する反射面となる突部を設け、全閉状態に投光部から投光された近赤外線の反射光を受光部で受光することにより求めた反射位置の検出結果から窓の開窓状態を検知部で検知するので、ＰＳＤ素子よりなる受光部による検出結果が、突部で反射する全閉状態と、外側窓又は内側窓が開いて突部以外の外側窓の室内面で反射したり内側窓の室内面で反射する場合とで異なり、ＰＳＤ素子よりなる受光部による検出結果の違いから簡単且つ正確に引き違い窓が全閉状態であるか、外側窓あるいは内側窓が開いた状態であるかを検出することができ、また、外側窓の室内面に突部を設けるという簡単な構成で、上記ＰＳＤ素子による全閉状態の検出を確実に行い得るものである。
【００３３】
また、請求項２記載の発明にあっては、全閉状態において外側窓と内側窓との重なり部の近傍の窓枠の室内側に近赤外線の投光部及び受光部にＰＳＤ素子を有する検知部を設け、全閉状態の外側窓と内側窓との重なり部付近の外側窓の室内面の上記投光部から発光された近赤外線が反射する外側窓の室内面の位置に内側窓、外側窓の同じ高さの他の部位の反射率よりも低い反射率の反射率低減部を設け、全閉状態に投光部から投光された近赤外線の反射光を受光部で受光することにより求めた反射位置の検出結果から窓の開窓状態を検知部で検知するので、全閉状態において、外側窓が開くと、近赤外線の反射部分は反射率の低い反射率低減部から外側窓の同じ高さの反射率の高い部位へと変わるが、この反射率の異なる境界部分においては、反射光束密度が著しく異なるため、受光レンズでの集光後のＰＳＤ素子への照射点がずれて測距誤差が生じ、この測距誤差を検知することで外側窓が開いたと判定できるものであり、また、内側窓が開いた場合には投光部から発光された近赤外線は内側窓の室内面で反射して受光部で受光されるため、受光部による検出結果が全閉状態と異なり、これにより内側窓が開いたと判定するものであり、このように、外側窓の室内面の一部に反射率低減部を設け設けるという簡単な構成で、上記ＰＳＤ素子による全閉状態の検出を確実に行い得るものである。
【００３４】
また、請求項３記載の発明にあっては、全閉状態において外側窓と内側窓との重なり部の近傍の窓枠の室内側に近赤外線の投光部及び受光部にＰＳＤ素子を有する検知部を設け、全閉状態の外側窓と内側窓との重なり部付近の外側窓の室内面に上記投光部から発光された近赤外線が反射する反射面となる突部を設け、該突部の突出面を上記突部と同じ高さの外側窓及び内側窓の他の部位の反射率よりも低い反射率の反射率低減部とし、全閉状態における外側窓の反射部位置に向けて投光部から近赤外線を投光して受光部で反射光を受光することで求めた反射位置の検出結果から窓の開窓状態を検知部で検知するので、ＰＳＤ素子よりなる受光部による検出結果が、突部で反射する全閉状態と、外側窓又は内側窓が開いて突部以外の外側窓の室内面で反射したり内側窓の室内面で反射する場合とで異なり、ＰＳＤ素子よりなる受光部による検出結果の違いから簡単且つ正確に引き違い窓が全閉状態であるか、外側窓あるいは内側窓が開いた状態であるかを検出することができるだけでなく、上記検出に当たり、特に、突部の突出面を外側窓及び内側窓の突部と同じ高さの他の部位の反射率よりも低い反射率の反射率低減部としてあるので、全閉状態において、外側窓が開いた際に反射率の異なる境界部分において生じる測距誤差を検知することで、突部の突出長さが短くても確実に突出外側窓が開いたと判定することができ、これにより突部の突出長さをできるだけ短くすることができるものである。また、外側窓の室内面に突部を設けると共に突部の突出面に反射率低減部を設けるという簡単な構成で、上記ＰＳＤ素子による全閉状態の検出を確実に行い得るものである。
【００３５】
また、請求項４記載の発明にあっては、上記請求項２又は請求項３のいずれかに記載の発明の効果に加えて、反射率低減部が赤外線吸収シートを貼着することで構成してあるので、赤外線吸収シートを貼るだけで簡単に反射率低減部とすることができるものである
【図面の簡単な説明】
【図１】（ａ）は本発明の引き違い窓の開窓検知装置の正面図であり、（ｂ）は側面図である。
【図２】同上のＰＳＤ素子による測距の原理を示す説明図である。
【図３】同上のＰＳＤ素子の出力電圧と被検知体までの距離との関係を示すグラフである。
【図４】（ａ）は引き違い窓の全開状態を示す説明図であり、（ｂ）は外側窓を開いた状態を示す説明図であり、（ｃ）は内側窓を開いた状態を示す説明図である。
【図５】同上の引き違い窓の全開状態、外側窓を開いた状態、内側窓を開いた状態におけるＰＳＤ素子の出力電圧の変化を示す説明図である。
【図６】（ａ）は本発明の引き違い窓の開窓検知装置の他の実施形態の正面図であり、（ｂ）は側面図である。
【図７】（ａ）は引き違い窓の全開状態を示す説明図であり、（ｂ）は外側窓を開いた状態を示す説明図であり、（ｃ）は内側窓を開いた状態を示す説明図である。
【図８】同上の引き違い窓の全開状態、外側窓を開いた状態、内側窓を開いた状態におけるＰＳＤ素子の出力電圧の変化を示す説明図である。
【図９】同上の異なる反射率の境界における受光点のずれを説明するための説明図である。
【図１０】（ａ）は本発明の引き違い窓の開窓検知装置の更に他の実施形態の正面図であり、（ｂ）は側面図である。
【図１１】（ａ）は引き違い窓の全開状態を示す説明図であり、（ｂ）は外側窓を開いた状態を示す説明図であり、（ｃ）は内側窓を開いた状態を示す説明図である。
【図１２】同上の引き違い窓の全開状態、外側窓を開いた状態、内側窓を開いた状態におけるＰＳＤ素子の出力電圧の変化を示す説明図である。
【図１３】（ａ）は従来例の引き違い窓の開窓検知装置の更に他の実施形態の正面図であり、（ｂ）は側面図である。
【図１４】（ａ）は従来例においてリードスイッチがオンとなった状態を示す説明図であり、（ｂ）はリードスイッチがオフとなった状態を示す説明図である。
【符号の説明】
１　外側窓
２　内側窓
３　重なり部
４　窓枠
５　投光部
６　受光部
６ａ　ＰＳＤ素子
７　検知部
８　突部
９　反射率低減部
【図１】
2004012385.tif 000003
【図２】
2004012385.tif 000004
【図３】
2004012385.tif 000005
【図４】
2004012385.tif 000006
【図５】
2004012385.tif 000007
【図６】
2004012385.tif 000008
【図７】
2004012385.tif 000009
【図８】
2004012385.tif 000010
【図９】
2004012385.tif 000011
【図１０】
2004012385.tif 000012
【図１１】
2004012385.tif 000013
【図１２】
2004012385.tif 000014
【図１３】
2004012385.tif 000015
【図１４】
2004012385.tif 000016